【手続補正書】
【提出日】平成24年11月2日(2012.11.2)
【手続補正１】
【補正対象書類名】特許請求の範囲
【補正対象項目名】全文
【補正方法】変更
【補正の内容】
【特許請求の範囲】
【請求項１】
ロール方向の傾きを検出する検出手段を有する撮像装置において、
前記検出手段の検出結果に応じた表示をする表示手段を有し、
前記撮像装置のピッチ角が所定の範囲内であるときにのみ上記表示をすることを特徴とする撮像装置。
【請求項２】
前記検出手段が前記ピッチ方向の傾きを検出することを特徴とする請求項１記載の撮像装置。
【請求項３】
前記表示手段はバーに前記検出結果に応じた角度を示すマーカを表示し、前記マーカを消す、バーを点滅若しくは警告音を出すことを特徴とする請求項１または請求項２に記載の撮像装置。
【請求項４】
前記表示手段は、前記ピッチ角が所定値以上になったときに、警告を含む表示に変更する請求項１〜請求項３に記載の撮像装置。
【請求項５】
前記表示手段は、前記ピッチ角が±９０度近傍の範囲内になったときに、表示形態を変更すべく制御する手段を含むことを特徴とする請求項１〜請求項４のいずれか１項に記載の撮像装置。
【請求項６】
前記表示手段は、ロール角に相応する傾きガイド表示およびピッチ角に相応する傾きガイド表示の両方を、前記画像表示装置に表示する手段を含むことを特徴とする請求項１または請求項２に記載の撮像装置。
【請求項７】
前記検出手段で得られた検出データを基に前記撮像装置を横位置に構えているか縦位置に構えているかを判別するとともに、横位置および縦位置における前記撮像装置のロール角およびピッチ角の情報を算出する算出手段を含み、そして前記表示手段は、前記算出手段で得られた情報に基づき前記撮像装置を横位置に構えた場合と縦位置に構えた場合とで、前記ロール角およびピッチ角の傾きガイド表示の表示位置を異ならせる手段を含むことを特徴とする請求項６に記載の撮像装置。
【請求項８】
前記表示手段は、前記ロール角およびピッチ角の傾きガイド表示をそれぞれ異なる色で表示する手段を含むことを特徴とする請求項６または請求項７に記載の撮像装置。
【請求項９】
前記表示手段は、前記ロール角およびピッチ角の傾きガイド表示をそれぞれ異なる形状で表示する手段を含むことを特徴とする請求項６〜請求項８のいずれか１項に記載の撮像装置。
【請求項１０】
前記表示手段は、前記ロール角およびピッチ角の傾きガイド表示の少なくとも一方を所望に応じて非表示とする手段を含むことを特徴とする請求項６〜請求項９のいずれか１項に記載の撮像装置。
【請求項１１】
前記検出手段は、互いに直交する３軸方向の傾斜を検出する加速度センサであることを特徴とする請求項６〜請求項１０のいずれか１項に記載の撮像装置。
【手続補正２】
【補正対象書類名】明細書
【補正対象項目名】０００５
【補正方法】変更
【補正の内容】
【０００５】
請求項１に記載した本発明に係る撮像装置は、上述した目的を達成するために、
ロール方向の傾きを検出する検出手段を有する撮像装置において、
前記検出手段の検出結果に応じた表示をする表示手段を有し、
前記撮像装置のピッチ角が所定の範囲内であるときにのみ上記表示をすることを特徴としている。
請求項２に記載した本発明に係る撮像装置は、請求項１の撮像装置であって、前記検出手段が前記ピッチ方向の傾きを検出することを特徴とする。
請求項３に記載した本発明に係る撮像装置は、請求項１または請求項２の撮像装置であって、
前記表示手段はバーに前記検出結果に応じた角度を示すマーカを表示し、前記マーカを消す、バーを点滅若しくは警告音を出すことを特徴としている。
【手続補正３】
【補正対象書類名】明細書
【補正対象項目名】０００６
【補正方法】変更
【補正の内容】
【０００６】
請求項４に記載した本発明に係る撮像装置は、請求項１〜請求項３の撮像装置であって、
前記表示手段は、前記ピッチ角が所定値以上になったときに、警告を含む表示に変更する。
請求項５に記載した本発明に係る撮像装置は、請求項１〜請求項４のいずれか１項の撮像装置であって、
前記表示手段は、前記ピッチ角が±９０度近傍の範囲内になったときに、表示形態を変更すべく制御する手段を含むことを特徴としている。
【手続補正４】
【補正対象書類名】明細書
【補正対象項目名】００１０
【補正方法】変更
【補正の内容】
【００１０】
請求項６に記載した本発明に係る撮像装置は、請求項１または請求項２の撮像装置であって、
前記表示手段は、ロール角に相応する傾きガイド表示およびピッチ角に相応する傾きガイド表示の両方を、前記画像表示装置に表示する手段を含むことを特徴としている。
【手続補正５】
【補正対象書類名】明細書
【補正対象項目名】００１１
【補正方法】変更
【補正の内容】
【００１１】
請求項７に記載した本発明に係る撮像装置は、請求項６の撮像装置であって、
前記検出手段で得られた検出データを基に前記撮像装置を横位置に構えているか縦位置に構えているかを判別するとともに、横位置および縦位置における前記撮像装置のロール角およびピッチ角の情報を算出する算出手段を含み、そして前記表示手段は、前記算出手段で得られた情報に基づき前記撮像装置を横位置に構えた場合と縦位置に構えた場合とで、前記ロール角およびピッチ角の傾きガイド表示の表示位置を異ならせる手段を含むことを特徴としている。
請求項８に記載した本発明に係る撮像装置は、請求項６または請求項７の撮像装置であって、
前記表示手段は、前記ロール角およびピッチ角の傾きガイド表示をそれぞれ異なる色で表示する手段を含むことを特徴としている。
請求項９に記載した本発明に係る撮像装置は、請求項６〜請求項８のいずれか１項の撮像装置であって、
前記表示手段は、前記ロール角およびピッチ角の傾きガイド表示をそれぞれ異なる形状で表示する手段を含むことを特徴としている。
【手続補正６】
【補正対象書類名】明細書
【補正対象項目名】００１２
【補正方法】変更
【補正の内容】
【００１２】
請求項１０に記載した本発明に係る撮像装置は、請求項６〜請求項９のいずれか１項の撮像装置であって、
前記表示手段は、前記ロール角およびピッチ角の傾きガイド表示の少なくとも一方を所望に応じて非表示とする手段を含むことを特徴としている。
請求項１１に記載した本発明に係る撮像装置は、請求項６〜請求項１０のいずれか１項の撮像装置であって、
前記検出手段は、互いに直交する３軸方向の傾斜を検出する加速度センサであることを特徴としている。
【手続補正７】
【補正対象書類名】明細書
【補正対象項目名】００１６
【補正方法】変更
【補正の内容】
【００１６】
本発明によれば、撮像装置の傾きに基づき、精度が要求される範囲と、精度が要求されない範囲とに応じて、精度を重視することと、使い勝手を良くすることとを、要求に応じて使い分けて操作性を向上させるユーザインタフェースを実現し得る撮像装置を提供することができる。
即ち、本発明の請求項１の撮像装置によれば、
ロール方向の傾きを検出する検出手段を有する撮像装置において、
前記検出手段の検出結果に応じた表示をする表示手段を有し、
前記撮像装置のピッチ角が所定の範囲内であるときにのみ上記表示をすることにより、
ピッチ角が所定の範囲内であるときのみ、ユーザは、ロール角を容易且つ正確に把握することができ、一方、ピッチ角が所定値以上となってロール角の必要な精度を維持できない場合は、ユーザはそれを確実に把握することができ、それによって、操作性を向上させることができる。
本発明の請求項２の撮像装置によれば、請求項１の撮像装置において、
前記検出手段が前記ピッチ方向の傾きを検出することにより、上記請求項１に記載の発明と同様の効果を奏することができる。
【手続補正８】
【補正対象書類名】明細書
【補正対象項目名】００１７
【補正方法】変更
【補正の内容】
【００１７】
本発明の請求項３の撮像装置によれば、請求項１の撮像装置において、
前記表示手段はバーに前記検出結果に応じた角度を示すマーカを表示し、前記マーカを消す、バーを点滅若しくは警告音を出すことにより、ユーザがより的確に把握することができる。
【手続補正９】
【補正対象書類名】明細書
【補正対象項目名】００１８
【補正方法】変更
【補正の内容】
【００１８】
本発明の請求項５の撮像装置によれば、請求項１〜請求項４のいずれか１項の撮像装置において、
前記表示手段は、前記ピッチ角が±９０度近傍の範囲内になったときに、表示形態を変更すべく制御する手段を含むことにより、
傾き検出の精度を維持できないピッチ角の範囲となった場合に、それを、傾きガイド表示によって、確実に把握することができ、容易に且つ確実に傾き検出の精度を維持できるピッチ角の範囲内で使用することが可能となる。
【手続補正１０】
【補正対象書類名】明細書
【補正対象項目名】００２５
【補正方法】変更
【補正の内容】
【００２５】
本発明の請求項６の撮像装置によれば、請求項１または請求項２の撮像装置において、
前記表示手段は、ロール角に相応する傾きガイド表示およびピッチ角に相応する傾きガイド表示の両方を、前記画像表示装置に表示する手段を含むことにより、
撮影時におけるピッチ方向の傾きを効果的に予防し、例えばパノラマ撮影等に際して、ピッチ角およびロール角を揃えた複数の撮像が可能となる。
【手続補正１１】
【補正対象書類名】明細書
【補正対象項目名】００２６
【補正方法】変更
【補正の内容】
【００２６】
本発明の請求項７の撮像装置によれば、請求項６の撮像装置において、
前記検出手段で得られた検出データを基に前記撮像装置を横位置に構えているか縦位置に構えているかを判別するとともに、横位置および縦位置における前記撮像装置のロール角およびピッチ角の情報を算出する算出手段を含み、そして前記表示手段は、前記算出手段で得られた情報に基づき前記撮像装置を横位置に構えた場合と縦位置に構えた場合とで、前記ロール角およびピッチ角の傾きガイド表示の表示位置を異ならせる手段を含むことにより、
撮影装置を、通常の横位置でなく、縦位置に構えた場合にも、撮影者が、撮影装置のロール方向およびピッチ方向の傾きを適確に把握することが可能となる。
本発明の請求項８の撮像装置によれば、請求項６または請求項７の撮像装置において、
前記表示手段は、前記ロール角およびピッチ角の傾きガイド表示をそれぞれ異なる色で表示する手段を含むことにより、
撮影者が、撮影装置のロール方向およびピッチ方向の傾きを容易に把握することが可能となる。
【手続補正１２】
【補正対象書類名】明細書
【補正対象項目名】００２７
【補正方法】変更
【補正の内容】
【００２７】
本発明の請求項９の撮像装置によれば、請求項６〜請求項８のいずれか１項の撮像装置において、
前記表示手段は、前記ロール角およびピッチ角の傾きガイド表示をそれぞれ異なる形状で表示する手段を含むことにより、
撮影者が、撮影装置のロール方向およびピッチ方向の傾きを容易に且つ適確に把握することが可能となる。
本発明の請求項１０の撮像装置によれば、請求項６〜請求項９のいずれか１項の撮像装置において、
前記表示手段は、前記ロール角およびピッチ角の傾きガイド表示の少なくとも一方を所望に応じて非表示とする手段を含むことにより、
撮影者が、撮影装置のロール方向およびピッチ方向のうちの必要な方向の傾きを容易にしかも確実に把握することが可能となる。
本発明の請求項１１の撮像装置によれば、請求項６〜請求項１０のいずれか１項の撮像装置において、
前記検出手段は、互いに直交する３軸方向の傾斜を検出する加速度センサであることにより、
撮像装置のあらゆる方向の傾きに高い応答性と精度をもって、傾き角を検出することが可能となる。